(57)【特許請求の範囲】
【請求項１】
上部に蓋６０が結合され、給水管１１とオーバーフロー管１２及び排水管１３が連設される水タンク１０と、
前記蓋６０の上部から水タンク１０の内側に向けて挿設される給水台２０、２０′と、
を備え、
前記給水台２０、２０′は、
前記水タンク１０の上部に固設され、下部の開放端部には通水溝３１、３１′が形成された外筒体３０と、
前記外筒体３０の内部に離間して配置され、下部が開放された内筒体４０と、
前記外筒体３０と前記内筒体４０との間に配置されて上下に昇降し、底部には開閉弁５１が結合された昇降体５０と、
からなり、
前記給水管１１を通じて前記水タンク１０の内部に水が満たされると、前記通水溝３１、３１′を通じて前記外筒体３０の内部に水が流入して、前記昇降体５０が浮力により上昇すると同時に、開閉弁５１が上向き開放されて前記水タンク１０と前記給水台２０、２０′が同一の水位を維持するように構成されることを特徴とする、家畜用自動保温清浄給水装置。
【請求項２】
前記昇降体５０は、下側に形成された下方延長部５２により空間部５３が形成され、前記空間部に満たされた空気の作用によって生じる浮力による水位によって昇降することを特徴とする、請求項１に記載の家畜用自動保温清浄給水装置。
【請求項３】
前記給水管１１には、浮き球１４により開閉される断続弁１５が結合設置されることを特徴とする、請求項１に記載の家畜用自動保温清浄給水装置。
【請求項４】
前記断続弁１５の一端は、前記給水管１１の上端に締結される別の弁本体１６にヒンジ結合され、前記断続弁１５の一側には弁本体１６の内外を貫通する給水孔１７と対応して水密パッキング１８が結合され、
水位によって前記浮き球１４が下降すると前記断続弁１５の下方回動により前記給水孔１７が開放され、前記浮き球１４が上昇すると前記断続弁１５の上向き回動により前記給水孔１７が水密パッキング１８により密閉されることを特徴とする、請求項３に記載の家畜用自動保温清浄給水装置。
【請求項５】
前記断続弁１５の他端は、前記水タンク１０の上部に引き出されるロープ１９の下段に連結され、
前記ロープ１９の上段は、前記水タンク１０の蓋６０上部から昇降する別の固定具７０に連結され、
前記固定具７０は、前記蓋６０の上部面から下方突設されたホルダー７１内に位置され、
前記ホルダー７１の両側には、傾斜溝７２が形成され、
前記固定具７０を前記ホルダー７１から上昇させて前記蓋６０の上面に密着固定させると、前記ロープ１９の上昇によって前記断続弁１５を上向き回動させて前記給水管１１を強制的に遮断することを特徴とする、請求項３に記載の家畜用自動保温清浄給水装置。
【請求項６】
前記水タンク１０は、内部に加熱ヒーター８０を内蔵することを特徴とする、請求項１に記載の家畜用自動保温清浄給水装置。
【請求項７】
前記水タンク１０は、内部に水位を検知する水位検知センサー８１と、温度を検知する温度検知センサー８２とを備え、
前記水位検知センサー８１及び前記温度検知センサー８２からの検知信号に基づいて前記加熱ヒーター８０への電源が制御されることを特徴とする、請求項６に記載の家畜用自動保温清浄給水装置。
【請求項８】
前記水タンク１０には、中間部に前記給水管１１と前記オーバーフロー管１２が配置され、
前記給水管１１と前記オーバーフロー管１２の両側には、それぞれ１個ずつの給水台２０、２０′が離間して配設され、２頭用給水装置として構成することを特徴とする、請求項１に記載の家畜用自動保温清浄給水装置。
【請求項９】
前記水タンク１０には、中間部に前記給水管１１と前記オーバーフロー管１２が配置され、
前記給水管１１と前記オーバーフロー管１２の両側には、それぞれ２個の給水台２０、２０′が離間して配設され、４頭用給水装置として構成することを特徴とする、請求項１に記載の家畜用自動保温清浄給水装置。
【発明の詳細な説明】
【技術分野】
【０００１】
本発明は乳牛や山羊または豚のような家畜を飼うための畜舎に設ける給水装置に関するもので、より詳細には、水タンクに備えられた給水台を利用して乳牛などの家畜が水を飲むと、自動で所定の高さまで水を補充し、給水台の開口面積を最小化して寒い冬季にも少ない消費電力で加熱ヒーターにより水温を一定に維持できる家畜用自動保温清浄給水装置に関するものである。
【背景技術】
【０００２】
一般的に、肉牛や乳牛、山羊、豚、羊、犬のような家畜を飼うための畜舎には、これら家畜ののどの渇きをいやすための給水装置が通常設けられている。
【０００３】
このような給水装置は、多様な構造と形態に開発されてきたが、通常水タンクから一定量の水を供給して給水台内を常に一定水位を維持する自動給水装置が広く使用されている。
【０００４】
自動給水装置の一例としては、本願出願人が出願した特許文献１があり、この文献では水タンクから給水台に水を供給すると、乳牛などの家畜は口を給水台に密着させて吸入することによって、家畜の吸入力により水を吸い込むことができる装置が開示されている。
【先行技術文献】
【特許文献】
【０００５】
【特許文献１】大韓民国特許第７３６３２１号公報
【発明の概要】
【発明が解決しようとする課題】
【０００６】
しかし、前述したような給水装置は家畜が口を密着して水を吸い込む形態の構造を有しているため、乳牛は何かを吸い込む習性を有するようになるという問題がある。
【０００７】
すなわち、乳牛は牛乳を大量生産するために飼育する家畜であるため、これらの乳牛において何でも吸い込もうとする習性を退化させなければ、周辺の乳牛に接近して乳を吸う行動を抑制させることができない。したがって、乳牛の場合には前述したように水を吸い込んで摂取する方式の給水装置を持続的に使用すると、乳を吸う行動や本性が強くなって、結局、他の乳牛の乳を随時吸うようになる問題点を有することになる。
【０００８】
前述したように、乳牛が水を吸い込んで摂取するようにした給水装置を使用することが好ましくないため、現場では乳牛などの動物がいつでも随時渇きを解消できる給水装置を設ける必要がある。このとき、水を吸い込んで摂取することでなく、飲む形式で摂取してのどの渇きを解消できる給水装置が切実に要求されている実情がある。
【０００９】
本発明は前述したような問題点を解決するためになされたもので、内筒体と外筒体及び昇降体からなった給水台を水タンクの上部面から内側に設け、昇降体の底部には開閉弁を設け、水タンクには断続弁を有する給水管、排水管、オーバーフロー管、加熱ヒーター、水位検知センサー、及び温度検知センサーをそれぞれ設けることによって、昇降体内に満たした水を飲んで摂取し得るようにし、乳牛などの家畜が新しい水を十分に摂取でき、乳牛などの家畜の口から排出される飼料などの異物が給水台から水タンクの内部に流入することを開閉弁により防止でき、水タンク上面の開口面積を最小化して冬季に保温効果を高めて加熱ヒーターの電気使用量を最小化することにより、従来の自動給水装置が有していた諸問題点を合理的に解決できる家畜用自動保温清浄給水装置を提供することにその目的がある。
【課題を解決するための手段】
【００１０】
前述したような目的を達成するための本発明の家畜用自動保温清浄給水装置は、水タンクの上部から内側に向けて挿設される給水台を備え、前記水タンクには断続弁を有する給水管とオーバーフロー管、及び加熱ヒーターと水位検知センサー及び温度検知センサーをそれぞれ装着し、前記給水台の下部には排水管を結合して設け、前記水タンクに固設される給水台は、互いに離間して配置される内筒体及び外筒体と、前記内筒体と外筒体との間に配置されて上下に昇降する昇降体とからなり、前記水タンクの内部に水が満たされると、外筒体の内部に水が流入し、前記昇降体は浮力により上昇すると同時に、昇降体の開閉弁が開放されて水タンクと給水台が同一の水位を維持できるように構成したことを特徴とする。
【発明の効果】
【００１１】
本発明は、所定量の水を有している昇降体により乳牛や山羊、豚のような家畜が水を飲んで摂取し得るので、乳牛の場合乳首で乳を吸い込む習性を順次退化させて周辺の乳牛に近づいて乳を吸う行動を防止できる。また、昇降体に備えられた開閉弁は昇降体内の水位を常に一定に維持する役割をすると共に、水タンクの内部に異物が流入することを遮断することによって、水の腐敗を防止できる。また、水タンク上部の給水台は水を飲む家畜の口のサイズに該当するサイズに開放されているので、熱損失を最小化して、冬季に保温効果に優れ、常に清潔で、且つ適正な温度の水を提供できる。
【図面の簡単な説明】
【００１２】
【図１】本発明に係る給水装置の全体を示す斜視図である。
【図２】本発明に係る給水装置の全体を示す平面図である。
【図３】本発明に係る給水装置の給水台を一部切欠して示す分解斜視図である。
【図４】本発明に係る給水装置を一部切欠して示す斜視図である。
【図５】本発明に係る給水装置の一側断面図である。
【図６】本発明に係る給水装置の他側断面図である。
【図７】本発明に係る給水装置内に水を満たさない状態の断面図である。
【図８】本発明に係る給水装置内に水を満たした状態の断面図である。
【図９】本発明に係る給水装置内の水を摂取する場合の作動状態を示す断面図である。
【図１０】本発明に係る給水装置の断続弁のアンロック状態を示す断面図である。
【図１１】本発明に係る給水装置の断続弁のロック状態を示す断面図である。
【図１２】本発明に係る給水装置の他の実施形態を示す平面図である。
【発明を実施するための形態】
【００１３】
本明細書及び請求範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。
【００１４】
以下、添付した図面を参照して本発明の好ましい実施形態について詳細に説明する。
【００１５】
図１は本発明に係る給水装置の全体を示す斜視図であり、図２は本発明に係る給水装置の全体を示す平面図であり、図３は本発明に係る給水装置の給水台を一部切欠して示す分解斜視図であり、図４は本発明に係る給水装置を一部切欠して示す斜視図であり、図５は本発明に係る給水装置の一側断面図であり、図６は本発明に係る給水装置の他側断面図である。
【００１６】
これらの図面に示すように、本発明の給水装置は内部空間を有する水タンク１０と、水タンク１０内に挿設される多数の給水台２０、２０′からなる。
【００１７】
水タンク１０には、外部から水タンク１０の内部に水を満たすための給水管１１と、給水管１１とは別に、水タンク１０の内部の水が所定水位以上に満たされると、自動で水タンク１０内の水を外部に排出させるオーバーフロー管１２と、水タンク１０の内部を洗浄しようとする場合に内部の水を速く排水できる排水管１３とがそれぞれ連設されている。また、水タンク１０は、必要によって上部全体を開放できる蓋６０を別途に備えて、開放された水タンク１０の上部に結合できる。
【００１８】
また、給水管１１の上方には断続弁１５が装着されており、この断続弁は水位によって上下に昇降するように連結棒を通じて連結された浮き球１４を有する。断続弁１５は、水タンク１０内の水位の低下によって浮き球１４が下降して開放されることによって、自動で水タンク１０の内部に水を満たす。一方、浮き球１４が所定の水位まで上昇すれば、断続弁１５は閉鎖されて水タンク１０の内部にはそれ以上水が供給されない。
【００１９】
ここで、断続弁１５は前述した給水管１１の上端に結合されている別の弁本体１６に一側がヒンジ結合されており、弁本体１６には給水管１１と連通された状態で給水孔１７が断続弁１５に向けて貫設されている。給水孔１７と対応する断続弁１５の一側面には軟質弾性材でなる水密パッキング１８が設けられている。したがって、ヒンジ結合状態で断続弁１５が回動または停止すると、水密パッキング１８が給水孔１７を開放させたり密閉させることによって、給水管１１から水タンク１０の内部に水が供給されたり遮断できる。
【００２０】
特に、弁本体１６は、水タンク１０の上部面に結合された別の固定具７０の回転方向によって強制的に給水管１１を遮断して水の供給を阻止することができる。固定具７０は、蓋６０の上面に形成されたホルダー７１上に装着されており、ホルダー７１の両側には、傾斜溝７２が形成されている。また、固定具７０の下側には蓋６０を貫通して弁本体１６に連結された状態でロープ１９が位置する。それによって、固定具７０の上下昇降により断続弁１５に対する自由な回動及び強制閉鎖を選択的に行うことができる。
【００２１】
また、給水台２０、２０′は外筒体３０と内筒体４０及び昇降体５０からなる。外筒体３０は、下部が開放されており、開放された外筒体３０の下段には凹凸状でなった通水溝３１、３１′が連続に形成されている。内筒体４０もやはり下部が開放されている形態であり、外筒体３０の内面から所定の間隔をおいて離間して配置される一方、外筒体３０より短い長さを有している。このとき、外筒体３０と内筒体４０は、給水台２０、２０′の底面から射出により一体に成形することもでき、平板状になった給水台２０、２０′の底面から締結または溶接により固定することもできる。
【００２２】
また、昇降体５０は上部が開放されており、外筒体３０と内筒体４０との間の隙間を通じて上下に昇降でき、下部には開閉弁５１が装着されている。このとき、昇降体５０の下側に下方延長部５２を形成することによって、延長部５２の内側に所定の空間部５３を形成する。空間部５３は空気を満たした状態になり、空間部５３内に満たされた状態の空気の作用によって、昇降体５０は水位による浮力によって上下に昇降できるようになる。
【００２３】
また、開閉弁５１は一種の逆止弁として、昇降体５０の外部、すなわち底面から水圧により昇降体５０の内部である上側に向けて水が流入できる一方、昇降体５０の上側では底面の下部に向けて流出できない構造を有する。昇降体５０の下側から水が満たされる水タンク１０の特性によって昇降体５０の上昇と同時に開閉弁５１が水圧により上昇しながら開放されるようになり、昇降体５０内外に対する水圧の平衡状態になると、開閉弁５１は自重により下降して閉鎖される構造となっている。
【００２４】
特に、水タンク１０には内部に加熱ヒーター８０を装着することによって、冬期のように気温が低い場合、水タンク１０の内部の水が凍結することを防止できるので、季節や周辺環境の影響を受けずに四季に対応して継続して使用することができる特徴を有している。
【００２５】
このとき、水タンク１０の内部には別の水位検知センサー８１と温度検知センサー８２がそれぞれ装着されており、これらのセンサーと加熱ヒーター８０は図示しない制御器に連結されている。加熱ヒーター８０の使用を必要とする時期においては、予測できない多様な理由により水タンク１０の内部の水がなくなったり十分でなかったりする場合があり、加熱ヒーター８０が作動して火災などを誘発することがある。これを防止する必要があり、そのため、水タンク１０内の水位が基準線以下になると、自動で加熱ヒーター８０の電源を遮断させる水位検知センサー８１が装着されている。制御器は、加熱ヒーター８０により温度が上昇する水タンク１０の内部の水温が高くなりすぎたり低くなりすぎたりすることを防止するため、温度検知センサー８２により一定レベル以上の温度が検知されると加熱ヒーター８０に電源を遮断し、一定レベル以下の温度が検知されると加熱ヒーター８０に電源を供給して水タンク１０の内部の水温を常に一定に維持する。
【００２６】
このような構成及び構造を有した本発明の給水装置は、図７に示すように、水タンク１０内に水を満たさない状態においては、昇降体５０が自重により外筒体３０に沿って水タンク１０の底まで完全に下降した状態になる。
【００２７】
このような状態は浮き球１４が下降した状態であるため、給水管１１の上方に設けられた断続弁１５が回動すると、給水管１１内の水は弁本体の給水孔１７を通じて水タンク１０の内部を満たすようになる。続いて、水タンク１０の内部底から徐々に満たされる水は外筒体３０の通水溝３１、３１′を通じて外筒体３０の内側にも同時に満たされる。これと共に、下降状態の昇降体５０は下側の延長部５２から漸進的に水が満たされるが、延長部５２は空気を閉じ込める役割をするので、下側から水が満たされても空間部５３内に位置していた空気は外部に抜け出さない。それによって、これらの空気による浮力を受けて昇降体５０は水位によって順次上昇するようになる。
【００２８】
したがって、浮き球１４の上昇及び断続弁１５の閉鎖作用により水タンク１０の内部に対する目標水位を維持できる。水タンク１０内の水は外筒体３０を通じて流入して昇降体５０に水圧を作用させ、この水圧を通じて開閉弁５１が開放される。それによって、昇降体５０の内部を含んでその内側に位置する内筒体４０も図８に示すように、水タンク１０と同一レベルの水位を維持している状態になる。
【００２９】
このとき、水タンク１０と昇降体５０の水位が同一になると、開閉弁５１は水圧の平衡状態によって自重により下降して閉鎖状態になる。
【００３０】
このような状態で乳牛などの家畜がのどの渇きをいやすために昇降体５０内部の水を飲むと、昇降体５０内の水位が低下し、水圧の不均衡によって開閉弁５１は、図９に示すように、上昇しながら水タンク１０内部の水が昇降体５０の内部に満たされる。これと同時に、浮き球１４が下降しながら断続弁１５を開放させて給水管１１を通じて新しく水が満たされるので、常に同一のレベルの水位を持続的に維持できるようになる。
【００３１】
特に、前述したように乳牛などの家畜が水を摂取する過程で、飼料や各種異物などが昇降体５０内部に流入する状況が発生しても開閉弁５１により昇降体５０と水タンク１０とは互いに遮断された状態であるので、異物などが水タンク１０の内部に流入することを防止できる。昇降体５０内部の水を摂取する過程で開閉弁５１が開放されても水タンク１０の内部に水が流入する力により昇降体５０内部の異物は水タンク１０の内部に流入しないで家畜が摂取しない構造になっている。ここで、昇降体５０は外筒体３０内で水位によって上下に移動する。このとき、これらの間に異物が流入すると、昇降体５０が動かなくなる。これを解決するために、内筒体４０は案内手段の役割を行って昇降体５０が円滑に移動できるようにする。
【００３２】
また、前述したような内筒体４０は、外筒体３０と昇降体５０との間に異物が挟まって昇降体５０が昇降する際に、異物により上昇および下降が円滑に行われないことを防止するための内側カバーとしての役割も行う。ここで、昇降体５０は、その上側部が外筒体３０と内筒体４０との間の隙間を通じて昇降するようになり、外筒体３０と内筒体４０との上側部は互いに一体に連結されている。結局、外筒体３０と内筒体４０との間及び外筒体３０の内面と昇降体５０との間には外部から流入する飼料のような異物が挟まらないので、昇降体５０は常に円滑で、且つ安定した昇降を行うことができる。
【００３３】
これによって、本発明は常に同一の水位を維持でき、乳牛などの家畜はいつでも便利にのどの渇きをいやすことができ、水タンクの内部への異物流入が防止されるので、異物による水の変質や腐敗を防ぐことができる。
【００３４】
特に、水位調節を通じて乳牛は水を吸い込む方式でなく、飲んで摂取する方式であるので、乳牛のような場合には吸い込む習性を漸進的に退化させて周辺の乳牛に近づき乳を吸うなどの不具合を防止できる。
【００３５】
また、本発明の給水装置を使用しなかったり一時的に給水を中断したりすることが発生する場合には、前述したような水タンク１０上部の蓋６０上面に露出された状態の固定具７０を上昇させて、強制的に断続弁１５により給水管１１の密閉状態を維持するようにすることができる。図１０に示すように、固定具７０が蓋６０上部のホルダー７１内に挿入されて位置する場合には、固定具７０に連結されたロープ１９が下降する。したがって、ロープ１９下段の断続弁１５は弁本体１６から上下に回動できる状態になる。これによって、給水装置を使用する際、断続弁１５は水位による浮き球１４の作用により弁本体１６の給水孔１７を開放させたり密閉させたりして自動で水タンク１０の内部の水位を所定レベルに維持できるようになる。
【００３６】
一方で、前述したように給水装置を使用しなかったり水タンク１０の内部洗浄のように給水を中断したりする必要がある場合には、図１１に示すように、固定具７０を蓋６０のホルダー７１に挿入して上昇させた後、上昇した固定具７０を利用してホルダー７１から一側の傾斜溝７２を通じてロープ１９を挿入しながら、上昇した状態の固定具７０がホルダー７１の内部でない蓋６０の上部面に密着させ、ロープ１９の上昇及び断続弁１５の上向き回動によって、弁本体１６の給水孔１７を水密パッキング１８により強制的に密閉遮断させる。
【００３７】
これによって、水タンク１０の上部外側に露出された状態の固定具７０をホルダー７１内に挿入させて給水管に対する自動開閉作用が行われるようにしたり、ホルダー７１から固定具７０を上昇及び固定させて強制的に給水を遮断させたりすることができるので、水タンク１０の内部の洗浄あるいは非使用時に不要な水の浪費を防止できる。また、前述したように、水タンク１０の内部を清掃する場合には、固定具７０を通じて断続弁１５を閉鎖させた状態で水タンク１０の底部に連設された排水管１３を開放させて水タンク１０内の水を速やかに排出させることができる。したがって、水タンク１０の内部清掃を迅速で、且つ効果的に行うことができる。
【００３８】
このような本発明の給水装置は水タンク１０の中央部に給水管１１とオーバーフロー管１２をそれぞれ連設した状態で、水タンク１０の上部両側にそれぞれ１個ずつの給水台２０、２０′を設けることによって、２頭用給水装置として使用したり、図１２に示すように、水タンク１０の中央から両側にそれぞれ２個の給水台２０、２０′を設けることによって、４頭用給水装置として使用することができる。また、水タンク１０に対する長さの変更やそれによる給水台２０、２０′の設置数の調整を通じて、多様な変更製作が可能である。
【００３９】
一方、本明細書内で本発明をいくつかの好ましい実施形態によって記述したが、当業者ならば、添付の特許請求範囲に開示した本発明の範疇及び思想から外れずに、多くの変形及び修正がなされ得る。
【符号の説明】
【００４０】
１０  水タンク
１１  給水管
１２  オーバーフロー管
１３  排水管
１４  浮き球
１５  断続弁
１６  弁本体
１７  給水孔
１８  水密パッキング
１９  ロープ
２０、２０′  給水台
３０  外筒体
３１、３１′  通水溝
４０  内筒体
５０  昇降体
５１  開閉弁
５２  延長部
５３  空間部
６０  蓋
７０  固定具
７１  ホルダー
７２  傾斜溝
８０  加熱ヒーター
８１  水位検知センサー
８２  温度検知センサー
【図１】
0005276221.tif 000002
【図２】
0005276221.tif 000003
【図３】
0005276221.tif 000004
【図４】
0005276221.tif 000005
【図５】
0005276221.tif 000006
【図６】
0005276221.tif 000007
【図７】
0005276221.tif 000008
【図８】
0005276221.tif 000009
【図９】
0005276221.tif 000010
【図１０】
0005276221.tif 000011
【図１１】
0005276221.tif 000012
【図１２】
0005276221.tif 000013